(57)【要約】      （修正有）【課題】ブレスレットまたはベルトを、取り扱い易い腕時計ケースに取り付けるための装置を提供する。【解決手段】腕時計ケース１と一体化する少なくとも１つのホーン１０と、他方では、ブレスレットのストランド２の端部と一体化する挿入部６とを備える。ホーンおよび挿入部は補完的であり、互いに連結して協働し、ブレスレットのストランドが交換可能となるように、取り外し可能な組み立て手段を形成する。挿入部は、弾性復元手段の作用を受ける少なくとも１つの止め金具９を含む。止め金具は、ホーン内で少なくとも１つのハウジング１００と協働するように構成される。ホーンは、ホーンに対して放射状に突出する制御部材５を含み、止め金具がブレスレットのストランドをホーン上に保持する配置位置から、ブレスレットのストランドがホーンから解放される格納位置まで、止め金具を移動する。【選択図】図２
2019076701.tif 000002
【特許請求の範囲】
【請求項１】
ブレスレットまたはベルトを腕時計ケース（１）に取り付けるための装置であって、前記装置は、一方では、前記腕時計ケース（１）と一体化する少なくとも１つのホーン（１０）と、他方では、ブレスレットのストランド（２）の端部と一体化する挿入部（６）とを備え、前記ホーン（１０）および前記挿入部（６）は補完的であり、互いに連結して協働し、前記ブレスレットのストランド（２）が交換可能となるように、取り外し可能な組み立て手段を形成する装置であって、
前記挿入部（６）は、弾性復元手段（７）の作用を受ける少なくとも１つの止め金具（９）を含み、前記少なくとも１つの止め金具（９）は、前記ホーン（１０）内で少なくとも１つのハウジング（１００）と協働するように構成され、前記ホーンは、前記ホーン（１０）に対して放射状に突出する制御部材（５）を含み、前記止め金具（９）を、前記止め金具（９）が前記ブレスレットのストランド（２）を前記ホーン（１０）上に保持する配置位置から、前記ブレスレットのストランド（２）が前記ホーン（１０）から解放される格納位置まで移動することを特徴とする、装置。
【請求項２】
請求項１に記載の取り付け装置であって、前記制御部材（５）は、前記ホーン（１０）の端部の１つに摺動可能に取り付けられ、前記制御部材は前記ホーン（１０）の前記ハウジング（１００）内に移動する、装置。
【請求項３】
請求項１に記載の取り付け装置であって、前記挿入部（６）は、少なくとも１つの空洞を含み、前記空洞内部には、前記弾性復元手段（７）および前記止め金具（９）が連続して位置する、装置。
【請求項４】
請求項３に記載の取り付け装置であって、前記挿入部（６）は、一体化されたピン（８）を含み、前記ピンは前記空洞内に突出し、前記止め金具（９）の溝（９０）と協働するように構成される、装置。
【請求項５】
請求項１から４のいずれかに記載の取り付け装置（１）であって、前記ホーン（１０）は、前記挿入部を前記ホーン上にセンタリングするための手段を含み、前記センタリング手段は、前記挿入部に形成される少なくとも１つの穴（１２）と協働するように構成される、装置。
【請求項６】
請求項１から５のいずれかに記載の取り付け装置（１）であって、前記少なくとも１つの止め金具（９）は傾斜面（９１）を有する、装置。
【請求項７】
請求項１から６のいずれかに記載の取り付け装置（１）であって、前記ホーン（１０）と一体化する少なくとも１つのリング（３）を備え、前記リング（３）は、前記少なくとも１つの制御部材（５）を受容する、装置。
【請求項８】
請求項１から７のいずれかに記載の取り付け装置（１）であって、前記ブレスレットのストランド（２）は、繊維素材、革、合成素材、またはプラスチック素材からなるストランドである、装置。
【請求項９】
請求項１から７のいずれかに記載の取り付け装置（１）であって、前記ブレスレットのストランド（２）は、金属、セラミックまたは複合素材からなる、複数の連結部の形状を取る、装置。
【請求項１０】
ブレスレットまたはベルトを腕時計ケース（１）に取り付けるための装置であって、前記装置は、一方では、前記腕時計ケース（１）と一体化する少なくとも１つのホーン（１０）と、他方では、ブレスレットのストランド（２）の端部と一体化する挿入部（６）とを備え、前記ホーン（１０）および前記挿入部（６）は補完的であり、互いに連結して協働し、前記ブレスレットのストランド（２）が交換可能となるように、取り外し可能な組み立て手段を形成する装置であって、
前記ホーン（１０）は、弾性復元手段（７）の作用を受ける少なくとも１つの止め金具（９）を含み、前記少なくとも１つの止め金具（９）は、前記挿入部（６）内で少なくとも１つのハウジング（１００）と協働するように構成され、前記挿入部は、前記挿入部（６）に対して放射状に突出する制御部材（５）を含み、前記止め金具（９）を、前記止め金具（９）が前記ブレスレットのストランド（２）を前記ホーン（１０）上に保持する配置位置から、前記ブレスレットのストランド（２）が前記ホーン（１０）から解放される格納位置まで移動することを特徴とする、装置。
【請求項１１】
請求項１から１０のいずれかによる、ブレスレットのストランド（２）を腕時計ケース（１）に取り付けるための装置を備える、時計。
【発明の詳細な説明】
【技術分野】
【０００１】
本発明は時計学または宝石の分野に関する。より具体的には、本発明は、ベルトまたはブレスレットを対象物、具体的には腕時計のケースに取り付けるための方法に関する。
【背景技術】
【０００２】
一般に、革または金属製のベルトまたはブレスレットは、腕時計ケースのホーンに、管から形成されるバーによって取り付けられる。管の内部には、平行して移動する２つのピストンが取り付けられる。弾性部材は２つのピストン間に配置され、ピストンを管の外側に駆動することを目的とする。このバーは、この目的のためにブレスレットの１つの端部に設けられるハウジング内部に取り付けられる。ピストンはケースのホーンにピストンに対向して作られたブラインドボアで係合する。
【０００３】
このようにケースに取り付けられたベルトまたはブレスレットを取り外すには、弾性部材によって行使される力に対向してピストンを管内部に押し返し、それによってピストンをボアから取り除くように設計される道具が必要となる。腕時計の装着者は、常にそのような道具を携帯するわけではなく、さらに道具が使いづらいこともある。このような取り付け装置を備えるブレスレットがケースに常に取り付けられるのは、このような理由からである。
【０００４】
道具を用いずにブレスレットをケースから取り外すことができる取り付け装置もある。このような装置は、通常、前述の種類のバーと、バー上に管を通じて取り付けられるピストンを起動する部材を含む。この起動部材は、たとえば、特許文献１に記載するような、ピストンの１つと一体化した放射状の指針である。指針は、管内に形成された軸方向のスロットを通じて摺動可能に取り付けられ、スロットに沿って移動することによって、管内部のピストンの１つが押される。
【０００５】
特許文献２は、ベルトをケースに取り付けるための装置を有する腕時計ケースを開示する。中央のホーンは円筒形の通路を有し、通路はホーンの全長にわたって長手方向のスリットであり、ベルトを取り付けるためのバーを挿入可能である。バーの形状は円筒形であり、全長に沿って平坦な部分を有し、バーが通路に挿入されたときにバーを通過させることができ、バーが規定の角度位置にあるときにバーを所定の位置に保持することができる。
【０００６】
前述したこのような取り付け装置は、一般に、ユーザの要望に応じて交換可能なブレスレットまたはベルトに用いられる。ただし、このような取り付け装置にも欠点がある。特に、このような取り付け装置では、たとえば、管に開口を設けることや、ピストンを変形するなど、バーに重大な構造的な修正が必要となることに留意されたい。これらの変更には多くの余分な製造費用が発生する。これらの取り付け装置はまた、突出要素、つまり、起動部材を含み、これらの起動部材は腕時計の装着者に絡まることもあり、また傷つけることもある。
【先行技術文献】
【特許文献】
【０００７】
【特許文献１】スイス特許第３２７８３８号
【特許文献２】スイス特許第６１４５８９号
【発明の概要】
【０００８】
本発明の目的は、ブレスレットまたはベルトを、バーを持たず、取り扱い易い腕時計ケースに取り付けるための装置を提示することによって、前述の欠点を克服することである。本装置は、一方では、腕時計ケースと一体化する少なくとも１つのホーンと、他方では、ブレスレットのストランドの端部と一体化する挿入部とを備える。バーおよび挿入部は補完的であり、互いに連結して協働し、ブレスレットが交換可能となるように、取り外し可能な組み立て手段を形成する。
【０００９】
本発明によれば、挿入部は、弾性復元手段の作用を受ける少なくとも１つの止め金具を含む。少なくとも１つの止め金具はホーン内で少なくとも１つのハウジングと協働する。ホーンは、ホーンに対して放射状に突出する制御部材を含み、止め金具がストランドをホーン上に保持する配置位置から、ストランドがホーンから解放される格納位置まで、止め金具を移動する。
【００１０】
本発明の別の有利な変形によれば、
−制御部材は、ホーンの端部の１つに摺動可能に取り付けられ、制御部材はホーンのハウジング内に移動し、
−挿入部は、空洞を含み、空洞内部には、弾性復元手段および止め金具が連続して位置し、
−挿入部は、一体化されたピンを含み、ピンは空洞内に突出し、止め金具内で溝と協働するように構成され、
−ホーンは、挿入部をホーン上にセンタリングするための手段を含み、センタリング手段は、挿入部に形成される穴と協働するように構成され、
−少なくとも１つの止め金具は傾斜面を有し、
−本装置は、ホーンと一体化する少なくとも１つのリングを含み、リングは、少なくとも１つの制御部材を受容し、
−ブレスレットのストランドは繊維素材、革、合成素材、またはプラスチック素材からなるストランドであり、
−ブレスレットのストランドは、金属、セラミックまたは複合素材からなる、複数の連結部の形状を取る。
【００１１】
本発明のその他の特徴および有利点は、本発明によるベルトまたはブレスレットを取り付けるための装置の実施形態の例を詳細に説明した以下の記述から明らかになるであろう。本実施例は、添付図を参照し、非限定的な例示としてのみ示すものである。
【図面の簡単な説明】
【００１２】
【図１】本発明による取り付け装置を備える腕時計ケースの上面図を例示する。
【図２】組み立て前の腕時計ケースおよびブレスレットの中央面に沿った断面図を例示する。
【図３】ブレスレットを所定の位置に取り付けた腕時計ケースの中央面に沿った断面図を例示する。
【図４】ブレスレットが固定されているときに、本発明による取り付け装置をセンタリングするための手段の断面図を例示する。
【発明を実施するための形態】
【００１３】
図１から４は、本発明の好ましい実施形態による腕時計と、ブレスレットを腕時計ケース１に取り付けるための装置の詳細図を例示する。取り付け装置は、一方では、腕時計ケース１と一体化する少なくとも１つのホーン１０を含み、他方では、ブレスレットのストランド２の端部と一体化する挿入部６を含む。ホーン１０および挿入部６は補完的であり、互いに連結して協働し、ブレスレットが交換可能になるように、取り外し可能な組み立て手段を形成する。
【００１４】
本発明によれば、挿入部６は、弾性復元手段の作用を受ける少なくとも１つの止め金具９を含む。少なくとも１つの止め金具９は、ホーン１０内で少なくとも１つのハウジングと協働するように構成される。ホーンは、ホーン１０に対して放射状に突出する制御部材５を含み、止め金具がストランドをホーン上に保持する配置位置から、ストランドがホーンから解放される格納位置まで、止め金具を移動する。
【００１５】
図１に例示するように、腕時計ケース１は中央ホーン１０を含む。中央ホーン１０は、ブレスレットのストランド挿入部のすべてまたは一部を受容するように構成される少なくとも１つのハウジング１００を備える。中央ホーン１０は、腕時計ケース１と一体化し、両側にリング３を含む。リング３は、たとえばプッシャ５などの制御部材を受容する。プッシャ５は、軸方向にリング３内を移動するように構成される。プッシャ５は、中央ホーンと一体化するリング３内に押し込まれるピン４によって、移動と回転を制限される。この構成によって、ブレスレットを交換する際に、プッシャ５に容易かつ迅速に到達することができる。
【００１６】
図１から分かるように、プッシャ５はリング３内に摺動可能に取り付けられ、ユーザがプッシャを押すとき、ハウジング内に移動するように構成される。各リング３はホーンの１つの端部に取り付けられる。本事例では、リングは好ましくは円筒形の形状を有し、ホーン１０は、腕時計ケース１内で各リング３を部分的に収容するために、対応する空洞の円筒形の形状を有する。
【００１７】
有利には、腕時計ケースは、挿入部を腕時計ケースにセンタリングし、および／または誘導する手段を含む。図１および４に示すように、これらのセンタリング手段は一対のボールキャッチ１１の形状を取る。各ボールキャッチ１１は、挿入部６の縁部上に形成される第１の対の穴１２と協働するように構成される。穴１２およびボールキャッチ１１のそれぞれの大きさおよび深さは、ボールキャッチ１１が挿入部６の穴１２に係合するとき、挿入部が自由度を持たないように構成される。
【００１８】
ボールキャッチ１１は、４５°の角度で下向きに配向され、ブレスレットが腕時計ケース１に組み立てられるとすぐに、ブレスレットを適切に位置決めする。
【００１９】
本発明によれば、中央ホーン１０は、挿入部６を受容するためのハウジング１００につながる、少なくとも１つの実質的に長方形の開口１０１を有する。挿入部の高さおよび長さは開口の高さおよび長さに対応する。表示するように、挿入部６は、中央ホーンの２つのハウジング内に入るように構成される２つの突出部分６０を含む。当業者は、挿入部を受容するハウジングを１つしか持たない場合も考案しえる。
【００２０】
図２および３から分かるように、挿入部６は、少なくとも１つの円形の空洞を含む。空洞内部には、弾性復元手段７および円筒形の断面を有する止め金具９が連続して位置する。弾性復元手段７は、たとえば、ぜんまいの形状を取る。
【００２１】
挿入部６はまた、内部に押し込まれるピン８を含む。ピン８は空洞内に突出し、止め金具上に形成される溝９０と協働するように構成され、空洞内の止め金具の移動を制限し、次に固定する。
【００２２】
有利には、止め金具９は、傾斜面９１を突出部分上に有し、挿入部６がホーン１０のハウジング１００に容易に挿入できるようにする。
【００２３】
図３および４に例示するように、ブレスレットのストランド２をケース１に確実に挿入するために、ボールキャッチ１１によって挿入部を誘導／センタリング可能としながら、突出部分６０を開口１０１に対向して配置することによって、装着者は挿入部６をホーン１０に押入する。止め金具９の傾斜面９１によって、止め金具はリングの接点を通じてハウジング１００に入り、同時にばね７は圧縮される。
【００２４】
挿入部６がハウジング１００の底部に到達すると、止め金具９は休止位置に戻り、それによって、ばね７は緩み、プッシャ５をリング３の外に移動する力が行使される。その瞬間には、止め金具９がハウジング１００内部に維持され、ボールキャッチ１１が挿入部６の穴１２内部にあるため、ブレスレットのストランド２をホーンから取り外すことはもはやできない。
【００２５】
ブレスレットのストランド２をホーン１から取り外すためには、装着者は同時に両方のプッシャ５を押圧しなければならない。すると、各プッシャは止め金具９に作用し、ばね７を圧縮する。装着車は次に、ブレスレットのストランド２を引っ張って挿入部をホーン１０のハウジング１００から取り外す。
【００２６】
前述の実施形態によると、挿入部はブレスレットまたはベルト上に配置される。ブレスレットまたはベルトは、革、合成繊維、プラスチック、金属、セラミックまたは複合素材からなる。同様に、バー４は、好ましくは金属からなるが、プラスチック、セラミックまたは複合素材からなってもよい。
【００２７】
当業者はまた、同一の取り付け装置を、連結部を備えるブレスレットのストランドに実装しえる。この場合には、腕時計ケース１に対する接続連結部は挿入部６を受容する。連結部はまた、金属、セラミックまたは複合素材からなってもよい。
【００２８】
本発明の様々な態様の結果として、確実なブレスレット取り付け装置が提供される。本装置によって、ブレスレットのストランドを腕時計ケース上に維持していた従来のバーを用いずに、ブレスレットを迅速かつ容易に交換することができる。
【００２９】
もちろん、本発明は例示した実施例に限定されず、当業者には明らかであろう様々な変形および修正が可能である。当業者は、たとえば、止め金具９およびプッシャ５の位置を変更するにあたって何の問題もないであろう。そのような実施形態では、ブレスレットは、挿入部６に隣接する側面縁部でプッシャ５を受容する。プッシャ５は、挿入部と一体化するリング３に摺動可能に取り付けられる。各リング３は、挿入部の１つの端部に取り付けられる。リングは、本事例では好ましくは、円筒形の形状を有する。ホーンは、円形の空洞を各側面端部に含み、各空洞は連続して、弾性復元手段７および突出する止め金具９を受容し、プッシャ５と協働する。ストランドを組み立て、または取り外すために、ユーザは単に、プッシャを押圧し、ブレスレットのストランドを押すか、または引くだけでよい。
【符号の説明】
【００３０】
１      ：腕時計ケース
２      ：ブレスレットのストランド
３      ：リング
４      ：ピン
５      ：プッシャ、制御部材
６      ：挿入部
７      ：弾性復元手段
８      ：ピン
９      ：止め金具
１０    ：ホーン
１１    ：ボールキャッチ
１２    ：穴
６０    ：突出部分
９０    ：溝
９１    ：傾斜面
１００  ：ハウジング
１０１  ：開口
【図１】
2019076701.tif 000003
【図２】
2019076701.tif 000004
【図３】
2019076701.tif 000005
【図４】
2019076701.tif 000006